(57)【特許請求の範囲】
【請求項１】
無線通信ネットワークを介した無線デバイスの個別ページング及びグループページングのシステムであって、
無線デバイスを備え、
前記無線デバイスは、
ページングサイクルを用いて、無線通信ネットワークを介してページングメッセージを受信し、
前記ページングサイクルの個別ページング聴取区間（ＩＰＬＩ）中にデバイスグループのグループページング指示子を受信し、
前記グループページング指示子が受信された場合、前記ページングサイクルのグループページング聴取区間（ＧＰＬＩ）中に起動し、
前記ＧＰＬＩ中に前記デバイスグループのグループページングイベントが受信された場合、アイドルモードから接続モードに移行し、前記デバイスグループのグループトラフィックを受信する、
システム。
【請求項２】
前記無線デバイスはデバイスグループ識別子を用いてデバイスグループに割り当てられる、請求項１に記載のシステム。
【請求項３】
前記ページングサイクルのページング聴取区間（ＰＬＩ）中に、前記無線デバイスを起動して、ページングイベントをチェックすることを更に含む、請求項１または請求項２に記載のシステム。
【請求項４】
前記ＰＬＩ中に個別ページングイベント及び前記グループページングイベントを受信することを更に含む、請求項３に記載のシステム。
【請求項５】
前記無線デバイスは、無線ローカルエリアネットワーク（ＷＬＡＮ）、無線パーソナルエリアネットワーク（ＷＰＡＮ）及び無線ワイドエリアネットワーク（ＷＷＡＮ）のうちの少なくとも１つに接続され、前記無線デバイスは、アンテナ、タッチセンサー式ディスプレイ画面、スピーカー、マイクロフォン、グラフィックスプロセッサ、アプリケーションプロセッサ、内部メモリ、不揮発性メモリポート及びそれらの組み合わせを含む、請求項１から請求項４のいずれか１つに記載のシステム。
【請求項６】
無線通信ネットワークを介した無線デバイスの個別ページング及びグループページングの方法であって、
前記無線デバイスのページングサイクル及びページングオフセットを設定することと、
デバイスグループ識別子を用いて、前記無線デバイスをデバイスグループに割り当てる段階と、
前記ページングサイクルの一部分中に、前記無線デバイスを起動して、前記無線通信ネットワークを介して受信されたページングイベントをチェックする段階と、
前記ページングサイクルの前記部分中に、前記無線デバイスにおいて前記デバイスグループのグループページングイベントを受信する段階と、
を含み、
前記方法は、
ページングサイクル内に個別ページング聴取区間（ＩＰＬＩ）及びグループページング聴取区間（ＧＰＬＩ）を割り当てる段階と、
前記ＧＰＬＩ中に前記無線デバイスを起動し、グループページングイベントを受信するために、前記ＩＰＬＩ中に前記無線デバイスにおいてグループページング指示子を受信する段階とを更に含む、方法。
【請求項７】
前記ページングサイクルのページング聴取区間（ＰＬＩ）中に、前記無線デバイスを起動して、ページングイベントをチェックする段階を更に含む、請求項６に記載の方法。
【請求項８】
前記ＰＬＩ中に個別ページングイベント及び前記グループページングイベントを受信する段階を更に含む、請求項７に記載の方法。
【請求項９】
前記グループページングイベントが受信された後に、アイドルモードから接続モードに移行して、前記デバイスグループのグループトラフィックを受信する段階を更に含む、請求項６から請求項８のいずれか１つに記載の方法。
【請求項１０】
前記無線デバイスは機械間（Ｍ２Ｍ）デバイス又は移動局（ＭＳ）である、請求項６から請求項９のいずれか１つに記載の方法。
【請求項１１】
予め定められた時間中にＰＬＩ（ページング聴取区間）及びページング不能区間（ＰＵＩ）を含むように、前記無線デバイスの前記ページングサイクルを設定する段階を更に含む、請求項６から請求項１０のいずれか１つに記載の方法。
【請求項１２】
第１のページングサイクル及び第１のページング聴取区間を使用して、個別ページングメッセージを聴取する段階と、第２のページングサイクル及び第２のページング聴取区間を使用して、グループページングメッセージ聴取する段階とを更に含む、請求項６から請求項１１のいずれか１つに記載の方法。
【請求項１３】
無線デバイスが複数のデバイスグループに属するときに、前記複数のデバイスグループ間でグループページングサイクル及びグループページングオフセットを共有する段階を更に含む、請求項６から請求項１２のいずれか１つに記載の方法。
【請求項１４】
前記無線デバイスを複数のデバイスグループに割り当てる段階を更に含み、前記複数のデバイスグループはそれぞれ別々のページングサイクル及び別々のページングオフセットを有する、請求項６から請求項１３のいずれか１つに記載の方法。
【請求項１５】
前記グループページング指示子内に、次回のグループページングイベントについての情報を含める段階を更に含む、請求項６から請求項１４のいずれか１つに記載の方法。
【請求項１６】
前記グループページング指示子内に、前記次回のグループページングイベントのグループ識別（ＧＩＤ）情報を含める段階を更に含む、請求項１５に記載の方法。
【請求項１７】
前記グループページング指示子内に、前記次回のグループページングイベントのグループページングオフセット及びグループページングサイクル情報を含める段階を更に含む、請求項１５または請求項１６に記載の方法。
【請求項１８】
無線通信ネットワークを介した無線デバイスの個別ページング及びグループページングの方法であって、
前記無線デバイスの個別ページングサイクル、個別ページングオフセット、及び個別ページング聴取区間（ＩＰＬＩ）を設定する段階と、
グループページングサイクル、グループページングオフセット及びグループページング聴取区間（ＧＰＬＩ）を設定する段階と、
前記ページングサイクルの個別ページング聴取区間（ＩＰＬＩ）中に、前記無線デバイスを起動して、ページングイベントをチェックする段階と、
前記無線デバイスにおいて前記ＩＰＬＩ中にグループページング指示子を受信する段階と、
前記グループページング指示子が受信された場合、前記ＧＰＬＩ中に前記無線デバイスを起動して、グループページングイベントを受信する段階と、
前記ＧＰＬＩ中にグループページングイベントを受信する段階と、
を含む、方法。
【請求項１９】
前記グループページングイベントが受信された後に、アイドルモードから接続モードに移行して、デバイスグループのグループトラフィックを受信する段階を更に含む、請求項１８に記載の方法。
【請求項２０】
デバイスグループ識別子を用いて無線デバイスをデバイスグループに割り当てる段階を更に含む、請求項１８または請求項１９に記載の方法。
【請求項２１】
コンピュータに、請求項６〜２０のいずれか一項に記載の方法を実行させるためのプログラム。
【請求項２２】
請求項６から請求項２０のいずれか１つに記載の方法を実行する通信デバイス。
【請求項２３】
無線通信ネットワークを介した移動局の個別ページング及びグループページングの方法であって、
前記移動局のためのページングサイクル及びページングオフセットを設定する段階と、
機械間グループ識別子（ＭＧＩＤ）を用いて前記移動局をデバイスグループに割り当てる段階と、
前記ページングサイクルの個別ページング聴取区間（ＩＰＬＩ）中に、前記移動局を起動して、前記デバイスグループのグループページング指示子を受信する段階と、
前記グループページング指示子が受信された場合、前記ページングサイクルのグループページング聴取区間中に、前記移動局を起動して、前記移動局において前記デバイスグループのグループページングイベントを受信する段階と、
を含む、方法。
【請求項２４】
前記移動局はＭ２Ｍデバイスである、請求項２３に記載の方法。
【請求項２５】
ダウンリンクマルチキャストサービスフローを識別するために、Ｍ２ＭＣＩＤ（Ｍ２Ｍマルチキャスト接続ＩＤ）がページングイベントに含まれる、請求項２３または請求項２４に記載の方法。
【請求項２６】
Ｍ２ＭグループゾーンのためのＭ２ＭグループゾーンＩＤが送信される、請求項２３から請求項２５のいずれか１つに記載の方法。
【請求項２７】
前記移動局が２つ以上のＭ２Ｍグループゾーンの一部であるときに用いられることになるＭ２Ｍグループゾーンインデックスを更に含む、請求項２３から請求項２６のいずれか１つに記載の方法。
【発明の詳細な説明】
【背景技術】
【０００１】
インターネットは、無線セルラー技術を使用することにより、移動性の高いインターネットに発展してきた。モノのインターネット（ｌｏＴ）は、或る人々がインターネットクラウド内の無数の物理的な物体又は仮想物体を接続することを想定するものである。これにより、これらの物体は、それらの物体間だけでなく、デバイス及びエンドユーザーに利益を与えるサービスを提供する環境及びサーバとも情報を交換できるようになる。この概念は簡単であるように思われるが、無数の物体との無線通信には大きな課題がある。
【０００２】
無線モバイルサービスは、人間同士の通信、及び人間とサーバとの通信を含む、人間による通信のために主に設計されてきた。人間による通信は、パーソナルコンピュータ（ＰＣ）、ノートブック、タブレット及びスマートフォンのような数多くのデバイスを利用し、そのようなデバイスはユーザーに対して類似のインターフェース及びサービス（例えば、ビデオ、音声及びマルチメディア）を提供する。無線ネットワークに接続されるそのようなデバイスは個々に指定することができる。具体的には、無線通信技術は、或るデバイスにおいて提供されるサービスタイプごとに個々の接続識別子を与えるように構成される。
【０００３】
対照的に、機械間（Ｍ２Ｍ）通信市場は極めて断片化されており、種々の縦割りの部門がテレメーター（例えば、スマートメーター、遠隔監視）、テレマティックス（例えば、車両追跡）から監視ビデオに及ぶサービスを対象にしている。これらのＭ２Ｍサービス及び類似のタイプのサービスは極めて異なる仕様を有する。例えば、一群の無線デバイスに類似の要求を送信することが望ましい場合がある。公益施設監視デバイスの例示的な状況では、大きな一群の公益施設監視デバイス（例えば、１００台〜１０００台のデバイス）が存在する場合があり、それらのデバイスはサーバから同じ監視メッセージを受信することができる。この監視メッセージは、公益施設監視デバイスから公益施設使用量データを収集するために、各デバイスからの報告を要求することができる。このシナリオでは、全く同じ監視メッセージが各デバイスに送信される場合がある。しかしながら、各デバイスに別個の監視メッセージを個々に送信するのは時間がかかる可能性があり、特に無線ネットワークに接続されるモバイルデバイス及びＭ２Ｍデバイスの数が増えるにつれて、無線ネットワークを介して送信されるトラフィック量を増加させる可能性がある。
【０００４】
状況によっては、意図した受信側デバイスが電力を節約するためにアイドルモードにある場合がある。結果として、アイドルモードにあるデバイスは、そのデバイスがアイドルモードから接続モードに移行して監視メッセージを受信できるようにページングされる。多数のデバイスがアイドルモードから接続モードに移行するとき、これらのデバイスを個々にページングする結果として、過剰なシグナリングオーバーヘッドが生じるおそれがある。
【図面の簡単な説明】
【０００５】
【図１】無線デバイスのアイドルモード動作の一例を示すブロック図である。
【図２】無線通信ネットワークを介した無線デバイスの個別ページング及びグループページングのシステムの一例を示す図である。
【図３】無線通信ネットワークを介した無線デバイスの個別ページング及びグループページングの一例の方法を示す図である。
【図４】個別ページングサイクル、及び別のグループページングサイクルを含む、無線デバイスの複数のページングサイクルの一例を示すブロック図である。
【図５】個別ページングサイクル、及び複数のグループページングサイクルを用いる複数のデバイスグループの一例を示すブロック図である。
【図６】グループページング指示子を用いる個別ページングサイクル、及びグループページング聴取区間を有するグループページングサイクルの一例を示すブロック図である。
【図７】無線デバイスがＭ２Ｍデバイスである無線通信システムの一例の構成を示す図である。
【図８】Ｍ２Ｍデバイス又はモバイルデバイスの一例を示す図である。
【発明を実施するための形態】
【０００６】
ここで、図面に示される例が参照されることになり、その説明のために、本明細書では特定の用語が用いられることになる。それにもかかわらず、それにより、技術範囲を限定することを意図していないことは理解されよう。本開示を手にした当業者であれば思い浮かぶことになる、本明細書に示される特徴の変更及び更なる修正、並びに本明細書に示されるような例の更なる応用形態が、その説明の範囲内にあると見なされるべきである。
【０００７】
この技術は、個別の無線デバイスに対するページング及び無線デバイスの複数のグループに対するページングを協調して実行することができる。個別ページングを提供する能力は、単一のデバイスを単一のメッセージで個別にページングする能力と定義される。さらに、グループページングは、無線通信システム内で１つのグループページングメッセージを用いて複数の無線デバイスをページングする動作が利用可能であることを意味する。これらのシステム及び方法は、通信システムのために、グループページング動作及び個別ページング動作を協調させるようにして提供することができる。そのような協調ページングは、Ｍ２Ｍ（機械間）デバイス、Ｄ２Ｄ（デバイス間）システム、ＭＴＣ（マシンタイプ通信）、携帯電話、ＭＳ（移動局）、ＵＥ（ユーザー機器）タブレット、ラップトップ、及び他の無線対応デバイスを含むことができる無線デバイスとの関連において用いることができる。
【０００８】
無線ネットワークとの通信時に電力を節約するために、無線デバイスは、ほとんどの時間、アイドルモードにある場合がある。図１は、無線デバイスのアイドルモード動作の一例を示すブロック図である。より具体的には、１つのデバイスに対する１つのページングサイクル１０２が示される。ページングサイクルはミリ秒単位又は秒単位の時間を要する場合がある。例えば、ページングサイクルは数百ミリ秒の長さにすることができるか、又は特定の無線デバイスにとって有用であるとみなされる長さにすることができる。
【０００９】
ページング動作の場合、各無線デバイス又はデバイスのグループに、全体的なアイドルモード動作及びページング動作を決定する少なくとも２つのパラメーターを割り当てることができる。これらのパラメーターはページングサイクル及びページングオフセットを含むことができる。図１は、ページングサイクルがページング聴取区間（ＰＬＩ）１０６と、ページング不能区間（ＰＵＩ）１０８とを含むことができることを更に示す。ページングサイクル内のＰＬＩの場所は、ページングオフセット１１０によって決定される。ページングオフセットは、ページングサイクルの開始と、ＰＬＩ区間が開始する時点との間の持続時間と定義される。無線デバイス又移動局（ＭＳ）がページングメッセージを聴取する時間は、ページング聴取区間（ＰＬＩ）であり、無線デバイスが無線インターフェースの電源を切る時間は、ページング不能区間（ＰＵＩ）として知られている。ページングサイクル及びページングオフセットに加えて、各無線デバイスは、ＰＬＩの持続時間に別のパラメーターを割り当てられる場合があり、そのパラメーターは、各ページングサイクルにおいて無線デバイスが起動された状態のままである持続時間を規定する。図１に示されるように、１つのページング不能区間及び１つのページング聴取区間が１つのページングサイクルを構成する。長いページングサイクルを用いるほど、無線デバイス又はＭＳによって節約される電力を増やすことができる。しかしながら、ページングサイクルが長いほど、無線デバイスがページングメッセージを受信し、無線ネットワークと通信できるまでに、長い時間が過ぎる場合があることも意味する。したがって、電力の節約と、無線デバイスの応答との間のバランスをとることができる。
【００１０】
アイドルモード時に、無線デバイスは、ＰＬＩ中に起動して、無線デバイスに接続モードに移行するように指示することができるページングイベントのようなイベントをチェックすることができる。ページングサイクル区間ごとに一度、アイドルモードにある無線デバイスは起動し、ページングメッセージを聴取することができる。上記で説明されたように、ページングサイクル内のＰＬＩの場所は、図１に示されるように、ページングオフセットによって規定され、図１においてＴ１  １００がページングオフセットである。アイドルモードの無線デバイス又はＭＳに対してトラフィックが到着するとき、ネットワークはページングを実行して、無線デバイスの位置を特定することができるか、又は無線デバイスをアクティブモードに戻すことができる。
【００１１】
ページングイベントは、種々のコンピュータ処理の理由からトリガーすることできる。例えば、１つのシナリオでは、ネットワークはデータ及び／又は制御トラフィックを無線デバイスに送達するために、ページングイベントをトリガーすることできる。そのようなトラフィックは、以下のタイプ：個別トラフィック又はグループトラフィックのうちの１つのタイプとすることができる。データ又は命令が単一の受信者又は１つの個別デバイスに向けられるトラフィックは個別トラフィックとして知られている。一方、デバイスグループ（ＤＧ）内の複数のデバイスによって受信されることを意図したトラフィックはグループトラフィックとして知られている場合がある。個別トラフィックを送達するために、ネットワークは、そのトラフィックの唯一の意図した受信者である無線デバイスを指定し、ページングする。この動作は個別ページングと呼ばれる場合がある。グループトラフィックを送達するために、ネットワークは、そのトラフィックが向けられるＤＧ内の無線デバイスを指定し、ページングする。このページング動作はグループページングとして知られている場合がある。
【００１２】
本技術は、アイドルモード時に個別ページングイベント及びグループページングイベントの両方を受信するように構成される方法、システム、デバイスを提供する。したがって、本技術は、個別ページング動作及びグループページング動作の両方を実行するための機構をサポートすることができる。
【００１３】
図２は、無線通信ネットワークを介した無線デバイスの個別ページング及びグループページングのシステムの一例を示す。そのシステムは、ページングサイクルを用いて、無線通信ネットワーク２００からページングメッセージを受信するように構成される無線デバイス２０２を含むことができる。無線デバイスは、移動局（ＭＳ）、ユーザー機器（ＵＥ）、携帯電話、Ｍ２Ｍデバイス、タブレット、ラップトップ、又は別のタイプの無線接続デバイスとすることができる。無線デバイスは、ページングサイクルのページング聴取区間（ＰＬＩ）中にページングイベントをチェックすることができる。
【００１４】
無線デバイスにおいて、ＰＬＩ中に、デバイスグループに対するグループページングイベントを入手することができる。図２には、複数のページンググループが示される。各ページンググループ２１０ａ〜２１０ｃは、無線ネットワークの無線基地局（ＢＳ）を通して通信し、無線基地局に接続される複数の無線デバイスを含むことができる。言い換えると、ページンググループは、ページング動作のために基地局のグループによってカバーされる論理エリアである。無線デバイスは、基地局（ＢＳ）、発展型ノードＢ（ｅＮＢ）、又は他のタイプの無線ワイドエリアネットワーク（ＷＷＡＮ）アクセスポイントと通信するように構成される１つ又は複数のアンテナを含むことができる。無線デバイスは、３ＧＰＰ  ＬＴＥ、ＷｉＭＡＸ、ＨＳＰＡ、Ｂｌｕｅｔｏｏｔｈ（登録商標）及び／又はＷｉＦｉを含む、少なくとも１つの無線通信標準規格を用いて通信するように構成することができる。無線デバイスは、無線通信標準規格ごとに別々のアンテナを用いて、又は複数の無線通信標準規格に対する共用アンテナを用いて通信することができる。モバイルデバイスは、無線ローカルエリアネットワーク（ＷＬＡＮ）、無線パーソナルエリアネットワーク（ＷＰＡＮ）及び／又は無線ワイドエリアネットワーク（ＷＷＡＮ）内で通信することができる。また、無線ネットワークは、その永久ホームアドレスがホームエージェントのネットワーク内にあるモバイルノードについての情報を記憶するホームエージェント（ＨＡ）２２０も含むことができる。その無線通信ネットワークを訪問するモバイル無線デバイスについて情報を追跡するために、フォーリンエージェント（ＦＡ）２１４ａ及び２１４ｂも設けることができる。
【００１５】
デバイスグループ（ＤＧ）は、通信のために１つのグループにされる無線デバイスのグループとすることができる。一例では、デバイスグループは、基地局に接続される全ての無線デバイスとすることができるか、又はデバイスグループはその無線デバイスのうちの選択されたサブセットとすることができる。さらに、デバイスグループは、複数の基地局に接続される無線デバイスのサブセットとすることができる。
【００１６】
グループページングイベントが受信されると、無線デバイスはアイドルモードから接続モードに移行し、デバイスグループのグループトラフィックを受信することができる。例えば、グループページングメッセージを受信して、電力メーターのグループをホットリブートする（すなわち、電源を切ることなく電力メーターをリブートする）ことができる。結果として、単一のグループページングイベントを電力メーターのグループに送信することができ、その後、それらの電力メーターは、後続の応答メッセージを送信することができるか、又はデバイスがグループページングイベントを受信したので、後続のグループメッセージを受信するのを待つことができる。この場合、デバイスグループのメンバーごとに個別ページングイベントを送信するのとは対照的に、デバイスグループに属する複数の無線デバイスに、１つのグループページングイベントだけを送信することができる。そうではなく、デバイスグループ内の無線デバイスに個別ページングメッセージを送信していたなら、著しく長いブロードキャスト時間を費やすことになっていた。例えば、１つのグループページングメッセージを送信するのに比べて、個別ページングメッセージを送信することによって、Ｎ倍ものネットワークブロードキャスト時間が費やされることになる。ただし、Ｎはデバイスグループ内の無線デバイスの数に等しい。
【００１７】
１つのデバイスグループ（ＤＧ）内の無線デバイスは、これ以降、デバイスグループ識別子（ＤＧＩＤ）と呼ばれる共通の識別情報を共有することができる。ＤＧＩＤに加えて、個々の無線デバイスは、これ以降、デバイスＩＤ（ＤＩＤ）と呼ばれる、個々の識別情報も有することができる。
【００１８】
個別ページングイベント及びグループページングイベントは、同じＰＬＩ中に１つの無線デバイスが受信することができる。個別ページング動作及びグループページング動作は１つ又は複数のネットワークデバイスによって実行することができる。例えば、１つのネットワークデバイス（又はネットワークエンティティ）がページングパラメーターを構成することができ、別のネットワークデバイス（又はネットワークエンティティ）がページングイベントを送信することができる。ページングイベントを送信するネットワークデバイスの一例が図２のようなページングコントローラー２０６ａ〜２０６ｃである。ページングコントローラーは、無線デバイスがページングメッセージを受信するためのページングサイクル及びページングオフセットを設定することができる。これは、ページングコントローラーが無線デバイスにページングサイクルパラメーターを教えることを意味する。さらに、ページングコントローラーは、デバイスグループ内の無線デバイスに個別ページングイベント及びグループページングイベントを送信することができる。ページングコントローラーは、そのページングコントローラーに関連付けられるページンググループ内に存在しているアイドルモード無線デバイスについての情報を記憶することができる。
【００１９】
ページングサーバーは無線デバイスに関するデバイスグループ識別子を認識していることができる。状況によっては、ページングサーバーがデバイスグループ識別子を割り当てることができる。代替的には、デバイスグループ識別子は、異なるネットワークエンティティによって割り当てられる場合がある。
【００２０】
一例では、個別ページングイベント及びグループページングイベントは、両方のタイプのページングイベントが１つの無線デバイスによって同じページング聴取区間（ＰＬＩ）中に受信されるように送信することができる。無線デバイスは、個別ページング及びグループページングの両方に対して１つのページングサイクル及びページングオフセットを使用することができ、無線デバイスは、ページングサイクル中に一度だけ起動し、個別ページングイベント及びグループページングイベントの両方を聴取することができる。この場合、同じデバイスグループ（ＤＧ）内の無線デバイスは、ページングサイクルパラメーター及びページングオフセットパラメーターに関して同じ値を共有することができる。少なくとも１つの無線デバイスが２つ以上のＤＧの一部である場合には、その無線デバイスを含む複数のＤＧ内の無線デバイスが、同じページングサイクル及びページングオフセットを共有することができる。代替的には、個別ページングイベント及びグループページングイベントは、更に後に論じられるように、異なるページング聴取区間（ＰＬＩ）中に送信することができる。
【００２１】
図３は、無線通信ネットワークを介した無線デバイスの個別ページング及びグループページングのための一例の方法を示す。その方法は、ブロック３１０のように、無線デバイスに関するページングサイクル及びページングオフセットを設定する動作を含むことができる。更なる動作は、ブロック３２０のように、デバイスグループ識別子を用いて、無線デバイスをデバイスグループに割り当てることとすることができる。
【００２２】
ブロック３３０のように、無線デバイスは、ページングサイクルの一部分において起動して、無線通信ネットワークを介して受信されたページングイベントをチェックすることができる。より具体的には、無線デバイスは、ページングサイクルのページング聴取区間（ＰＬＩ）中に起動して、ページングイベントをチェックすることができる。この構成では、ブロック３４０のように、個別ページングイベント及びグループページングイベントはいずれもＰＬＩ中に受信することができる。
【００２３】
ページングサイクルのＰＬＩ部分中に、無線デバイスにおいて、デバイスグループのグループページングイベントを受信することができる。その際、グループページングイベントが受信された後に、無線デバイスは、アイドルモードから接続モードに移行し、デバイスグループに対するグループトラフィックを受信することができる。これにより、無線ネットワーク上のネットワークエンティティは、グループメッセージ又はグループトラフィックを複数の無線デバイスに一度に送信できるようになる。
【００２４】
図４は、無線デバイスの複数のページングサイクルの一例を示しており、これらのページングサイクルは、個別ページングサイクル４０２と、別のグループページングサイクル４０４とを含むことができる。言い換えると、その無線デバイスは、個別ページング及びグループページングに対して異なるページングサイクル及び／又はページングオフセットを使用することができる。これは、グループページングメッセージが聴取され、受信される時点を定義するために、グループページングサイクルが異なるグループページングサイクル及び異なるグループページングオフセットを有することができることを意味する。より具体的には、第１のページングサイクル及び第１の個別ページング聴取区間（ＩＰＬＩ）４０６を用いて、個別ページングメッセージを聴取することができ、第２のグループページングサイクル及び第２のグループページング聴取区間（ＧＰＬＩ）４０８を用いて、グループページングメッセージを聴取することができる。上記で説明されたように、無線デバイスは機械間（Ｍ２Ｍ）デバイス、移動局（ＭＳ）、又は別の無線接続デバイスとすることができる。
【００２５】
無線デバイスが２つ以上のＤＧに属する場合には、ＤＧは同じページングサイクル及びページングオフセットを共有することができる。具体的には、無線デバイスは、異なる種類のアプリケーションをサポートするために、２つ以上のデバイスグループに属することができる。例えば、安全を確立するための無線デバイスは、火災警報デバイスグループ及び一酸化炭素警報デバイスグループの両方に属することができる。この状況では、無線デバイスが複数のデバイスグループに属するとき、２つ以上のデバイスグループ間で、グループページングサイクル及びグループページングオフセットを共有することができる。この例によれば、火災警報グループページングサイクル及び一酸化炭素警報グループページングサイクル及びグループページングオフセットは同じとすることができる。
【００２６】
図５は、無線デバイスが個別ページングサイクル５０２を有する通信インターフェースの一例を示すブロック図である。さらに、無線デバイスは複数のＤＧ（デバイスグループ）５０４に割り当てることができ、複数のＤＧはそれぞれ、別々のページングサイクル及び別々のページングオフセットを有することができる。これは、その無線デバイスが、個別ページング及びグループページングに対して異なるページングサイクル及び／又はページングオフセットを使用できることを意味する。デバイスが２つ以上のＤＧに属する場合、図示されるように、１〜Ｎの番号を付されたＤＧはそれぞれ異なるページングサイクル及び／又はページングオフセットを有することができる。
【００２７】
図６は、個別ページングサイクル及びグループページングサイクルの一例を示すブロック図である。この例の構成はグループページング指示子６２０を与えることができ、無線デバイスをアクティブにして、起動し、グループページングメッセージを受信するために、グループページング指示子は個別ページングサイクル６０２中に受信される。言い換えると、グループページング指示子は、グループページングイベントがブロードキャストされようとしており、無線デバイスがこれから起動し、グループページングイベントを受信すべきであることを、無線デバイスにあらかじめ警告する。グループページング指示子が受信されないとき、無線デバイスは、グループページングメッセージを受信するために、進行中のグループページングサイクルにおいて後に起動しない。
【００２８】
この場合、無線デバイスは個別ページング及びグループページングに対して異なるページングサイクル及びページングオフセットを有する。無線デバイスに対して、個別ページングサイクル６０２、個別ページングオフセット及び個別ページング聴取区間（ＩＰＬＩ）６０６を設定することができる。さらに、無線デバイスに対して、グループページングサイクル６１０、グループページングオフセット及びグループページング聴取区間（ＧＰＬＩ）６１４を設定することができる。グループページングサイクルは、グループページングサイクル及びグループページングオフセットに基づくグループページング聴取区間（ＧＰＬＩ）を含む。さらに、個別ページングサイクルは、個別ページングのためのページングサイクル及びページングオフセットに基づく個別ページング聴取区間（ＩＰＬＩ）を含む。
【００２９】
電力を節約するために、無線デバイスは、起こり得るＧＰＬＩ６１４ごとに起動するとは限らない。代わりに、無線デバイスは、ＩＰＬＩ６０６中にグループページング動作について受信されたグループページング指示子６２０に基づいて、幾つかのＧＰＬＩ中に選択的に起動することができる。ページングサイクルの個別ページング聴取区間（ＩＰＬＩ）中に、無線デバイスは起動してページングイベントをチェックすることができる。グループページングメッセージが予想されるとき、無線デバイスにおいて、ＩＰＬＩ中にグループページング指示子６２０を受信することができる。ＩＰＬＩ中に送信されるグループページング指示子は、間近の、又は次回のグループページングイベントについての指示又は情報を含むことができる。グループページング指示子を受信した後に、無線デバイスは、次のＧＰＬＩ中にグループページングイベントを受信するものと予想することができる。その際、無線デバイスはＩＰＬＩ区間後の次のＧＰＬＩ区間のうちの１つ又は複数の区間中に起動することができる。その際、グループページングイベントが受信された後に、無線デバイスは、アイドルモードから接続モードに移行し、そのデバイスグループに対するグループトラフィックを受信することができる。グループページング指示子が受信されない場合には、ＧＰＵＩを延長することができる。省かれたＧＰＬＩ区間は、グレー表示された区間６１８として示されており、グループページング指示子が受信されなかったので、その区間では、無線デバイスは起動しない。ＧＰＵＩの延長は、無線デバイスによって使用される電力を削減することができ、無線デバイス内の電池寿命を改善することができる。
【００３０】
グループページング指示子は、次回のグループページングイベントについての詳細な情報を含むことができる。例えば、グループページング指示子は、次回のグループページングイベントのグループページング指示子内にグループ識別（ＧＩＤ）情報を含むことができる。ＧＩＤ情報は、そのページンググループの識別子又はグループ番号とすることができる。
【００３１】
状況によっては、種々のグループページングサイクル及びグループ聴取区間を有する複数のページンググループが存在する場合がある。グループページング指示子において、間近である複数のグループページングイベントについての情報も受信することができる。グループ識別子によって、無線デバイスは、どのＧＰＬＩが起動すべきであるかを知ることができるようになる。グループページング指示子は、次回のグループページングイベントのグループページング指示子内にグループページングオフセット及び他のグループページングサイクル情報も含むことができる。代替的には、グループページング指示子は、無線デバイスが複数のＧＰＬＩ中に起動し、複数のグループについてのグループページング情報を受信できるようにする他の情報を含むことができる。
【００３２】
図７は、無線デバイスがＭ２Ｍデバイス７０４である無線通信システムの一例の構成を示す。この例のシステムでは、Ｍ２Ｍデバイスは、Ｍ２Ｍサーバ７０８によって設定することができるページングサイクルを有することになる。また、Ｍ２Ｍデバイスは、無線エリアネットワーク（ＲＡＮ）７０６又は類似の基地局と通信するように構成することができる。
【００３３】
Ｍ２Ｍアプリケーション７１０が、グループブロードキャストを用いて、デバイスグループによってＭ２Ｍデバイスにデータを送信することを望むとき、Ｍ２Ｍサーバ７０８は、以前に説明されたように、グループページングメッセージを送出することができる。このタイプの機械間（Ｍ２Ｍ）通信では、１組の無線デバイスがデバイスグループに属することができる。デバイスが機械間通信システムに属するとき、デバイスグループはＭ２Ｍグループ（ＭＧ）と呼ばれる場合がある。
【００３４】
上記で説明された方法、システム及びデバイスは、無線デバイスを用いて説明されてきた。無線デバイスは、移動局（ＭＳ）、ユーザー機器（ＵＥ）又はＭ２Ｍ（機械−機械間）デバイスとすることができる。一例の構成では、Ｍ２Ｍグループ識別子（ＭＧＩＤ）を用いて、Ｍ２Ｍデバイス又はＭＳをデバイスグループに割り当てることができる。ＭＧＩＤは、Ｍ２Ｍグループゾーン内のＭ２Ｍデバイスのグループによって共有されるダウンリンクマルチキャストサービスフローを一意的に識別する１２ビット値とすることができる。Ｍ２Ｍグループゾーンは、複数の基地局（ＢＳ）又は高度な基地局（ＡＢＳ： advanced base station）を含むことができる論理ゾーンである。Ｍ２Ｍグループゾーンは、Ｍ２ＭグループゾーンＩＤによって識別することができる。
【００３５】
移動局が２つ以上のＭ２Ｍグループゾーンの一部であるとき、Ｍ２Ｍグループゾーンインデックスを用いることができる。Ｍ２Ｍグループゾーンインデックスは、ＢＳのＭ２Ｍグループゾーンに割り当てられる局所的なインデックスと定義される。Ｍ２Ｍデバイスに割り当てられた所与のＭＧＩＤ及びＭ２ＭグループゾーンＩＤの場合に、Ｍ２Ｍグループゾーンインデックスは、Ｍ２Ｍデバイスが通信するＢＳによって決まる。ＭＳ又はＭ２Ｍデバイスは複数のＭ２Ｍグループゾーンに属することができ、複数のＭ２ＭグループゾーンＩＤを有することができる。
【００３６】
ダウンリンクマルチキャストサービスフローを識別するために、ページングイベント内にＭ２ＭＣＩＤ（Ｍ２Ｍマルチキャスト接続ＩＤ）を含むことができる。Ｍ２ＭＣＩＤは、Ｍ２Ｍグループゾーン内のＭ２Ｍデバイスのグループによって共有することができる。暗黙のうちに、Ｍ２ＭＣＩＤを用いて、ダウンリンクマルチキャストフローを共有するＭ２Ｍデバイスのグループを識別することができる。Ｍ２Ｍデバイスは、Ｍ２ＭＣＩＤによってそれぞれ識別される２つ以上のダウンリンクマルチキャストサービスフローを共有することができる。Ｍ２Ｍデバイスに割り当てられるＭ２ＭＣＩＤは、同じＭ２Ｍグループゾーンに属する場合もある。また、Ｍ２ＭＣＩＤは、上記で説明されたデバイスグループ識別子（ＤＧＩＤ）と同じにすることもできる。
【００３７】
図８は、ユーザー機器（ＵＥ）、移動局（ＭＳ）、モバイル無線デバイス、モバイル通信デバイス、タブレット、ハンドセット、又は他のタイプのモバイル無線デバイスのような、Ｍ２Ｍデバイス又はモバイルデバイスの例示を与える。Ｍ２Ｍデバイスは、モバイルデバイスに関して後に説明される特徴のうちの幾つか又は全てを含むことができ、Ｍ２Ｍデバイスは、実際に移動性があるように十分に小さくすることができるか、又は上記のモバイル技術構成要素は、移動性の低いデバイス（例えば、冷暖房システム、冷蔵庫等）に組み込まれる場合がある。モバイルデバイスは、基地局（ＢＳ）、発展型ノードＢ（ｅＮＢ）、又は他のタイプの無線ワイドエリアネットワーク（ＷＷＡＮ）アクセスポイントと通信するように構成される１つ又は複数のアンテナを含むことができる。モバイルデバイスは、３ＧＰＰ  ＬＴＥ、ＷｉＭＡＸ、ＨＳＰＡ、Ｂｌｕｅｔｏｏｔｈ（登録商標）及び／又はＷｉＦｉを含む、少なくとも１つの無線通信標準規格を用いて通信するように構成することができる。モバイルデバイスは、無線通信標準規格ごとに別々のアンテナを用いて、又は複数の無線通信標準規格に対する共用アンテナを用いて通信することができる。モバイルデバイスは、無線ローカルエリアネットワーク（ＷＬＡＮ）、無線パーソナルエリアネットワーク（ＷＰＡＮ）及び／又は無線ワイドエリアネットワーク（ＷＷＡＮ）内で通信することができる。
【００３８】
また、図８は、モバイルデバイスに対するオーディオ入力及び出力のために用いることができるマイクロフォン及び１つ又は複数のスピーカーの例示も与える。表示画面は、液晶ディスプレイ（ＬＣＤ）画面とすることができるか、又は有機発光ダイオード（ＯＬＥＤ）ディスプレイのような他のタイプの表示画面とすることができる。表示画面は、タッチスクリーンとして構成することもできる。タッチスクリーンは、静電容量方式、抵抗方式又は別のタイプのタッチスクリーン技術を用いることができる。アプリケーションプロセッサ及びグラフィックスプロセッサを内部メモリに結合して、処理能力及び表示能力を与えることができる。また、不揮発性メモリポートを用いて、ユーザーに対してデータ入力／出力のオプションを与えることもできる。また、不揮発性メモリポートを用いて、モバイルデバイスのメモリ能力を拡張することもできる。キーボードを、モバイルデバイスに組み込むか、又はモバイルデバイスに無線で接続して、更なるユーザー入力を与えることができる。タッチスクリーンを用いて、仮想キーボードを設けることもできる。
【００３９】
その実現の独立性を特に強調するために、本明細書に説明される機能ユニットのうちの幾つかはモジュールとして分類されてきた。例えば、モジュールは、カスタムＶＬＳＩ回路若しくはゲートアレイ、論理チップ、トランジスタのような既製の半導体、又は他のディスクリート部品を含むハードウェア回路として実現することができる。また、モジュールは、フィールドプログラマブルゲートアレイ、プログラマブルアレイロジック、プログラマブル論理デバイス等のプログラマブルハードウェアデバイス内に実現することもできる。
【００４０】
また、モジュールは種々のタイプのプロセッサによって実行するためのソフトウェアにおいて実現することもできる。実行可能コードの特定モジュールは、例えば、コンピュータ命令の１つ又は複数のブロックを含むことができ、そのブロックはオブジェクト、手順又は関数として編成することができる。それにもかかわらず、特定モジュールの実行ファイルは、物理的に一か所に配置される必要はなく、異なる場所に記憶される異種の命令を含むことができ、それらの命令は、論理的に結び付けられるときに、モジュールを構成し、そのモジュールの規定された目的を果たす。
【００４１】
実際には、実行可能コードのモジュールは、単一の命令とすることができるか、又は多数の命令とすることができ、幾つかの異なるコードセグメントにわたって、異なるプログラムの間に、そして幾つかのメモリデバイスにわたって分散される場合もある。同様に、本明細書において、モジュール内で運用データを特定し、例示することができ、運用データは任意の適切な形で具現し、任意の適切なタイプのデータ構造内に編成することができる。運用データは、単一のデータセットとして収集される場合があるか、又は異なる記憶デバイスを含む、異なる場所にわたって分散される場合がある。そのモジュールは受動又は能動とすることができ、所望の機能を実行するように動作可能なエージェントを含むことができる。
【００４２】
本明細書において説明される技術は、コンピュータ可読記憶媒体上に記憶することもでき、コンピュータ可読記憶媒体は、コンピュータ可読命令、データ構造、プログラムモジュール又は他のデータのような情報を記憶するための任意の技術を用いて実現される揮発性及び不揮発性、取出し可能及び非取出し可能な媒体を含む。コンピュータ可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタル多用途ディスク（ＤＶＤ）若しくは他の光学記憶装置、磁気カセット、磁気テープ、磁気ディスク記憶装置若しくは他の磁気記憶デバイス、又は所望の情報を記憶するために用いることができる任意の他のコンピュータ記憶媒体及び上記の技術を含む。
【００４３】
本明細書において説明されるデバイスは、デバイスが他のデバイスと通信できるようにする、通信接続又はネットワーク装置及びネットワーク接続も含むことができる。通信接続は通信媒体の一例である。通信媒体は通常、コンピュータ可読命令、データ構造、プログラムモジュール、及び搬送波又は他の輸送機構のような変調されたデータ信号内の他のデータを具現し、任意の情報送達媒体を含む。「変調されたデータ信号」は、情報を信号内に符号化するように設定又は変更された特性のうちの１つ又は複数を有する信号を意味する。一例であって、限定はしないが、通信媒体は、有線ネットワーク又は直接有線接続のような有線媒体と、音、無線周波数、赤外線及び他の無線媒体のような無線媒体とを含む。本明細書において用いられるときに、「コンピュータ可読媒体」という用語は、通信媒体を含む。
【００４４】
さらに、説明された特徴、構造又は特性は１つ又は複数の例において任意の適切なやり方で組み合わせることができる。これまでの説明では、説明される技術の例を完全に理解してもらうために、種々の構成の例のような数多くの具体的な細部が提供された。しかしながら、本技術が、それらの具体的な細部のうちの１つ又は複数を用いることなく、又は他の方法、構成要素、デバイスを用いて実施できることは当業者には理解されよう。場合によっては、本技術の態様をわかりにくくするのを避けるために、既知の構造又は動作は詳細に図示又は説明されない場合がある。
【００４５】
構造的な特徴及び／又は動作に特有の用語において、主題が説明されてきたが、添付の特許請求の範囲において規定される主題は、上記の具体的な特徴及び動作には必ずしも限定されないことは理解されたい。むしろ、上記の具体的な特徴及び動作は請求項を実現する例示的な形態として開示される。説明される技術の趣旨及び範囲から逸脱することなく、多数の変更形態及び代替構成を考案することができる。
【図１】
0005810398.tif 000002
【図２】
0005810398.tif 000003
【図３】
0005810398.tif 000004
【図４】
0005810398.tif 000005
【図５】
0005810398.tif 000006
【図６】
0005810398.tif 000007
【図７】
0005810398.tif 000008
【図８】
0005810398.tif 000009